(57)【特許請求の範囲】
【請求項１】
天壁、底壁及び４側壁からなり、複数列に配列された飲料缶の上下の端面を、それぞれ天壁及び底壁に内接させて包装する包装箱において、天壁又は底壁と一側壁との稜線に沿って並ぶ第１列目の缶と、この第１列目の缶に隣接する第２列目の缶とで形成される空間部分に面する壁面に、前記稜線側を基端部とする舌片を形成する切目を設け、この舌片を内側に押し込んだとき、舌片が第１列目の隣接する２本の缶の周面に当接可能にすると共に、前記稜線をはさんで舌片と対応する一側壁上の位置に、指掛孔を形成する切目を施したことを特徴とした包装箱。
【請求項２】
前記舌片の基端部が山形状に形成されると共に、前記舌片を分割可能にする縦分割線を設けた請求項１記載の包装箱。
【請求項３】
前記舌片の先端部に谷折線を介して延長片を設けた請求項２記載の包装箱。
【発明の詳細な説明】
【０００１】
【産業上の利用分野】
本発明は、天壁、底壁及び４側壁からなり、複数列に配列された飲料缶の上下の端面を、それぞれ天壁及び底壁に内接させて包装する包装箱に関する。
【０００２】
【従来の技術】
従来、上記包装箱を、手で提げ易くしたものとして、実開平６−３５１１１号公報の図７及び図８に示すように、天壁２，２から側壁１，１に跨がる１対のし字状切目８，８及び８，８と、この１対の切目８，８，８，８を結ぶ折目９，９と、切目７，７と切目８，８，８，８とを結ぶ折目１０，１０，１０，１０を設けて、提げ手６を形成したものがあったが、提げ手６に荷重がかかり過ぎて、提げ手や箱壁が引き裂けたり変形したりする欠点があった。また、そのために提げ手部分に別体の補強材を貼り付けなければならないなどの問題点があった。
【０００３】
【発明が解決しようとする課題】
本発明は、箱に切目を設けるだけで、容易に持ち運び可能になると共に、箱壁の引き裂けや変形を防止できる包装箱を提供するものである。
【０００４】
【課題を解決するための手段】
本発明包装箱は、上記目的を達成するため、図示するように、天壁、底壁及び４側壁からなり、複数列に配列された飲料缶の上下の端面を、それぞれ天壁及び底壁に内接させて包装する包装箱において、天壁又は底壁と一側壁との稜線に沿って並ぶ第１列目の缶と、この第１列目の缶に隣接する第２列目の缶とで形成される空間部分に面する壁面に、前記稜線側を基端部とする舌片を形成する切目を設け、この舌片を内側に押し込んだとき、舌片が第１列目の隣接する２本の缶の周面に当接可能にすると共に、前記稜線をはさんで舌片と対応する一側壁上の位置に、指掛孔を形成する切目を施したものである。また、本発明包装箱は、前記舌片の基端部が山形状に形成されると共に、前記舌片を分割可能にする縦分割線を設けたものである。更に、本発明包装箱は、前記舌片の先端部に谷折線を介して延長片を設けたものである。
【０００５】
本発明において、舌片を形成する切目は、舌片が第１列目の隣接する２本の缶の周面に当接可能にすると共に、指を嵌入できるものであれば、いかなる形状でもよい。
【０００６】
また、指掛孔を形成する切目は、舌片に指を入れ、稜線を跨いで指を入れられるものであれば、いかなる形状でもよい。
【０００７】
【実施例１】
本発明の実施例１が図１乃至図６に示されている。
本例の包装箱は、図６に示すように、天壁１１に側壁１３、底壁１２、側壁１３及び糊付片１８を順次連設すると共に、側壁１３の両端にフラツプ１４１、天壁１１及び底壁１２の各両端にフラツプ１４２を連設した展開基板からなる。側壁１３からフラツプ１４１，１４１にわたって、その裏ライナーに箱を開梱するための２条のライナーカツト切目線１９が施されている。この展開基板の糊付片１８と天壁１１とを糊着し、フラツプ１４１，１４１にフラツプ１４２，１４２を重ね合わせて糊着し側壁１４を形成して包装箱を組み立てる。天壁１１には、缶収納の際、図１及び図２に示すように、連設する側壁１３との稜線１５に沿って並ぶ第１列目の缶２１と隣接する第２列目の缶２２とで形成される空間部分に面する壁面に、切目１６１により稜線１５側を基端部とする舌片１６が形成され、図４に示すように、この舌片１６が内側に押し込まれたとき、第１列目の隣接する２本の缶２１，２１の周面に当接可能となる。なお、図２及び図４に示すように、舌片１６の切目１６１に隣接して切目１６１Ｂ，１６１Ｂを設けて補助舌片１６Ｂ，１６Ｂを形成することもできる。この補助舌片１６Ｂ，１６Ｂは、箱の内側に傾いて指を挿入する開口部を広げると共に、指当りをソフトにして持ち易くしている。天壁１１上に設けられる切目１６１及び切目１６１Ｂは底壁１２上に設けてもよい。次に、稜線１５に隣接する側壁１３には、図１及び図５に示すように、稜線１５をはさんで舌片１６と対応する位置に、親指が嵌入する指掛孔１７を形成する切目１７１がライナーカツト切目線１９の切出し用切目１９１に隣接して設けられている。なお、指掛孔１７は側壁１４に設けられるようにしてもよい。
従って、本発明包装箱を手で提げる場合は、図３に示すように、舌片１６（補助舌片１６Ｂがある場合は一緒に）を箱内側に押しこんで、指を沿わせて第１列目の隣接する２本の缶２１，２１を舌片１６を介して下方から支えると共に、親指を指掛孔１７から箱内側に入れると、片手で缶をつかむようにして包装箱を提げることができる。
【０００８】
【実施例２】
本発明の実施例２が図７乃至図１１に示されている。
本例の包装箱は、図１１に示すように、実施例１の図６と同様に、天壁１１、側壁１３、底壁１２、糊付片１８及びフラツプ１４１，１４２を形成した展開基板において、側壁１３からフラツプ１４１，１４１にわたって、その裏ライナーに箱を開梱するための２条のライナーカツト切目線１９Ｃが施されている。この展開基板の糊付片１８と天壁１１とを糊着し、フラツプ１４１，１４１にフラツプ１４２，１４２を重ね合わせて糊着し側壁１４を形成して包装箱を組み立てる。天壁１１には、缶収納の際、図８に示すように、連設する側壁１３との稜線１５に沿って並ぶ第１列目の缶２１と隣接する第２列目の缶２２とで形成される空間部分に面する壁面に、切目１６１Ｃにより稜線１５側を基端部とする山形状の舌片１６Ｃが形成され、図１０に示すように、この舌片１６Ｃが内側に押し込まれたとき、縦分割線１６２Ｃにより分割される舌片１６Ｃの各分割舌片１６０Ｃが第１列目の隣接する２本の缶２１，２１の周面に当接可能となる。なお、図８、図９及び図１０に示すように、舌片１６Ｃの切目１６１Ｃ及び連続する補助切目１６３Ｃにより形成される孔板１６４Ｃを外側に開くことにより、指先を箱内に挿入し易くしている。すなわち、缶２１と缶２１との間の空間が狭い場合でも、指で舌片１６Ｃを押し込んで箱を持ち上げると、指を挿入した下方の缶が自重のため多少下方に下がり空間が広がる。そのとき孔板１６４Ｃが開かれていると、指先を更に箱内部に挿入することができ、安定した持ち運びが可能になる。天壁１１上に設けられる舌片１６Ｃの切目１６１Ｃ及び縦分割線１６２Ｃは底壁１２上に設けてもよい。次に、稜線１５に隣接する側壁１３には、図７、図９及び図１１に示すように、稜線１５をはさんで舌片１６Ｃと対応する位置に、親指が嵌入する指掛孔１７Ｃを形成する切目１７１Ｃがライナーカツト切目線１９Ｃの切出し用切目１９１Ｃに隣接して設けられている。なお、指掛孔１７Ｃは側壁１４に設けられるようにしてもよい。
従って、本発明包装箱を手で提げる場合は、図９に示すように、舌片１６Ｃを箱内側に押しこんで、孔板１６４Ｃを箱外側に開き指を沿わせて第１列目の隣接する２本の缶２１，２１を各分割舌片１６０Ｃを介して下方から支えると共に、親指を指掛孔１７から箱内側に入れると、片手で缶をつかむようにして包装箱を提げることができる。
【０００９】
【実施例３】
本発明の実施例３が図１２乃至図１６に示されている。
本例の包装箱は、図１６に示すように、実施例２の図１１と同様に、天壁１１、側壁１３、底壁１２、糊付片１８、フラツプ１４１，１４２及びライナーカツト切目線１９Ｃ、切目１７１Ｃを形成した展開基板の糊付片１８と天壁１１とを糊着し、フラツプ１４１，１４１とフラツプ１４２，１４２とを重ね合わせて糊着し側壁１４を形成して包装箱を組み立てる。天壁１１には、缶収納の際、図１３及び図１４に示すように、連設する側壁１３との稜線１５に沿って並ぶ第１列目の缶２１と隣接する第２列目の缶２２とで形成される空間部分に面する壁面に、切目１６１Ｄにより稜線１５側を基端部とする山形状の舌片１６Ｄが形成され、図１４に示すように、この舌片１６Ｄが内側に押し込まれたとき、指を挿入した下方の缶２１が、その自重のため多少下方に下がって空間が広がり、谷折線１６３Ｄを介して設けた延長片１６４Ｄが谷折線１６３Ｄの谷折に伴ない箱内側に入っていく。同時に、縦分割線１６２Ｄにより分割される舌片１６Ｄの各分割舌片１６０Ｄが第１列目の隣接する２本の缶２１，２１の周面に当接可能となる。その際、延長片１６４Ｄの分だけ指が入り込む開口部の面積が大きくなっており、更に指を挿入し易くしている。天壁１１上に設けられる舌片１６Ｄの切目１６１Ｄ及び縦分割線１６２Ｄは底壁１２上に設けてもよい。次に、稜線１５に隣接する側壁１３には、図１２、図１３及び図１５に示すように、稜線１５をはさんで舌片１６Ｄと対応する位置に、親指が嵌入する指掛孔１７Ｃを形成する切目１７１Ｃがライナーカツト切目線１９Ｃの切出し用切目１９１Ｃに隣接して設けられている。なお、指掛孔１７Ｃは側壁１４に設けられるようにしてもよい。
従って、本発明包装箱を手で提げる場合は、図１５に示すように、舌片１６Ｄを箱内側に押しこんで、指を沿わせて第１列目の隣接する２本の缶２１，２１を各分割舌片１６０Ｄ及び延長片１６４Ｄを介して下方から支えると共に、親指を指掛孔１７から箱内側に入れると、片手で缶をつかむようにして包装箱を提げることができる。
【００１０】
【発明の効果】
本発明によれば、片手による包装箱の手提げが迅速容易にできると共に、箱の手提げが箱の稜線を跨いで行われ、かつ、舌片を介して第１列目の缶をつかむように持ち上げられるので、従前のように、箱壁が引き裂けたり変形したりすることを防止できる。
【図面の簡単な説明】
【図１】本発明の実施例を示し、一部を切り欠いて内部を示した包装箱の斜視図である。
【図２】図１の舌片を形成する切目の拡大説明図である。
【図３】図１の包装箱を手提げしたときの一部を切り欠いて内部を示した斜視図である。
【図４】図１の舌片及び補助舌片の説明図である。
【図５】図１の指掛孔に指を押し込んだときの説明図である。
【図６】図１の包装箱の展開図である。
【図７】本発明の別の実施例を示し、一部を切り欠いて内部を示した包装箱の斜視図である。
【図８】図７の舌片を形成する切目の拡大説明図である。
【図９】図７の包装箱を手提げしたときの一部を切り欠いて内部を示した斜視図である。
【図１０】図７の舌片及び分割舌片の説明図である。
【図１１】図７の包装箱の展開図である。
【図１２】本発明の更に別の実施例を示し、一部を切り欠いて内部を示した包装箱の斜視図である。
【図１３】図１２の舌片を形成する切目の拡大説明図である。
【図１４】図１３の舌片を押し込んだときの説明図である。
【図１５】図１２の包装箱を手提げしたときの一部を切り欠いて内部を示した斜視図である。
【図１６】図１２の包装箱の展開図である。
【図１７】従来例の斜視図である。
【図１８】図１７の手提げ時の斜視図である。
【符号の説明】
１１  天壁
１２  底壁
１３，１４  側壁
１５  稜線
１６，１６Ｃ，１６Ｄ  舌片
１６１，１６１Ｃ，１６１Ｄ  舌片を形成する切目
１７  指掛孔
１７１  指掛孔を形成する切目
【図１】
0003605179.tif 000002
【図２】
0003605179.tif 000003
【図３】
0003605179.tif 000004
【図４】
0003605179.tif 000005
【図５】
0003605179.tif 000006
【図６】
0003605179.tif 000007
【図７】
0003605179.tif 000008
【図８】
0003605179.tif 000009
【図９】
0003605179.tif 000010
【図１０】
0003605179.tif 000011
【図１１】
0003605179.tif 000012
【図１２】
0003605179.tif 000013
【図１３】
0003605179.tif 000014
【図１４】
0003605179.tif 000015
【図１５】
0003605179.tif 000016
【図１６】
0003605179.tif 000017
【図１７】
0003605179.tif 000018
【図１８】
0003605179.tif 000019